(57)【要約】【課題】結合部の外側に突起を形成し取付具に形成した係止部に突起を係止して、鼻輪の装着作業時には取付具を鼻輪に確実に係止できることはもちろんのこと、鼻輪の装着後は、鼻輪から取付具を容易に離脱することもでき、装着の作業性を向上できる牛の鼻輪を得る。【解決手段】弾性体よりなるＣ字状環体１の一端に穿刺杆２を設け、他端に前記穿刺杆２が係止する結合部３を設けた牛の鼻輪において、鼻輪の取付具９への係止部材として前記結合部３の外側に正面三角形の板状の突起１１を突設した。【選択図】        図１
2010130904.tif 000002
【特許請求の範囲】
【請求項１】
弾性体よりなるＣ字状環体の一端に穿刺杆を設け、他端に前記穿刺杆が係止する結合部を設けた牛の鼻輪において、鼻輪の取付具への係止部材として前記結合部の外側に正面三角形の板状の突起を突設したことを特徴とする牛の鼻輪。
【請求項２】
前記三角形状の突起は基部を３０度程度の角度に形成する請求項１記載の牛の鼻輪。
【発明の詳細な説明】
【技術分野】
【０００１】
本発明は、牛の識別などのために牛の鼻に装着する鼻輪に関するものである。
【背景技術】
【０００２】
牛の鼻輪には、例えば硬質合成樹脂製リングの一箇所を分離させてＣ字状環体を形成し、一方の分離端に矢尻状の穿刺杆を、他方の分離端に前記穿刺杆が結合する挿通孔を有する結合部を形成し、穿刺杆の基端部の係止段部を結合部に形成した係止部に係止して穿刺杆と結合部とを結合することで、穿孔具による鼻中隔への穿孔作業を不要とし、また、鼻輪の装着もリングの一端の穿刺杆を他端の結合部に挿入するだけの作業で足りるものとして、ネジなどで両端を連結する作業も不要としたものがある。
【０００３】
ところが、結合部を穿刺杆の係止部に装着するには、係止部の凹部内に結合部を無理やり押し込むものであるため、作業に手間取り、作業性がよくなく、時間も要して効率がよくなかった。
【０００４】
そこで、特許文献１に示すように、鼻輪を取付具に装着する際、ワンタッチ的に簡単に行えるものとして、結合部の強度を上げ、破損を防止する目的で、肉盗み孔や抜き孔を鼻輪の内側に形成したタイプの鼻輪においては、結合部の外側に突起を形成し、取付具に形成してある係止孔にこの突起を挿入して鼻輪を取付具に容易に取り付けられるようにしたものがある。
【特許文献１】特開２００７−３００８２２号公報
【発明の開示】
【発明が解決しようとする課題】
【０００５】
前記従来例では取付具に鼻輪を取り付けた状態で、突起と係止孔とが係合するから確実に固定されるが、鼻輪を牛の鼻中隔に装着した後は、取付具を鼻輪から外す必要がある。この場合、突起と係止孔とは上下位置で係止しているが、取付具を外す方向は鼻輪の輪にそう円弧状となるため、係止方向と解除方向とが異なり、取付具を外しにくく作業性がよくなかった。
【０００６】
本発明の目的は前記従来例の不都合を解消し、結合部の外側に突起を形成し取付具に形成した係止部に突起を係止して、鼻輪の装着作業時には取付具を鼻輪に確実に係止できることはもちろんのこと、鼻輪の装着後は、鼻輪から取付具を容易に離脱することもでき、装着の作業性を向上できる牛の鼻輪を提供することにある。
【課題を解決するための手段】
【０００７】
請求項１記載の本発明は、弾性体よりなるＣ字状環体の一端に穿刺杆を設け、他端に前記穿刺杆が係止する結合部を設けた牛の鼻輪において、鼻輪の取付具への係止部材として前記結合部の外側に正面三角形の板状の突起を突設したことを要旨とするものである。
【０００８】
請求項２記載の本発明は、前記三角形状の突起は基部を３０度程度の角度に形成することを要旨とするものである。
【０００９】
請求項１記載の本発明によれば、鼻輪の一端に形成される結合部の外側に突設されて、鼻輪の取付具への係止部材となる突起の形状を正面三角形の板状としたから、取付具によって結合部に穿刺杆が結合された後に、取付具を鼻輪から外す際、取付具は三角形状の山形の傾斜面に沿うようにしてスライドしながら外れていくから、取付具の離脱が容易に行える。
【００１０】
請求項２記載の本発明によれば、三角形状の突起の基部は３０度程度の角度に形成したから、突起の傾斜面は、取付具を外す円弧状の方向にほぼ一致する。よって、取付具は傾斜面にそってスムーズにスライドし簡単に取付具を外すことができる。
【発明の効果】
【００１１】
以上述べたように本発明の牛の鼻輪は、鼻輪の一端に形成されている結合部の外側に突起を形成し、取付具に形成した係止部に前記突起を係止して、鼻輪の装着作業時には取付具を鼻輪に確実に係止できることはもちろんのこと、鼻輪の装着後は、鼻輪から取付具を容易に離脱することもでき、装着の作業性を向上できるものである。
【発明を実施するための最良の形態】
【００１２】
以下、図面について本発明の実施形態を詳細に説明する。図１は本発明の牛の鼻輪の実施形態を示す要部である結合部分の縦断正面図、図２は同上平面図、図３は同上側面図で、鼻輪を構成するＣ字状環体１は、硬質プラスチックなどの可撓性合成樹脂を材質とし、一端に穿刺杆２を設け、他端にこの穿刺杆２が挿入して係止する結合部３を設けた。
【００１３】
穿刺杆２は、先端を円錐形の矢尻状部４に形成し、Ｃ字状環体１の本体１ａから矢尻状部４への移行部である矢尻状部４の基部を矢尻状部４よりも縮径して係止段部５に形成する。
【００１４】
結合部３は、図１にも示すように全体形状をＣ字状環体１の本体１ａよりも大きい径の横向きの断面蒲鉾形とし、穿刺杆２が挿入する挿入孔６を形成し、結合部３の内側に成形時の脱型のための抜き孔７、成形時のひずみを防止するための肉盗み孔８が形成してある。前記挿入孔６は入口開口６ａを円形に形成した。
【００１５】
かかる結合部３の外側に牛の鼻中隔への鼻輪装着時に、図５にも示す取付具９に形成した係止部である係止溝１０に係止する係止部材として突起１１を突設する。
【００１６】
この突起１１は、正面三角形状の板状で、基部の角度を例えば３０度に形成して、頂部１１ｂから基部にいたる傾斜部１１ａを緩やかな傾斜面に形成した。この傾斜角度は、後述するように鼻輪挿着後、取付具９を鼻輪から外す際に取付具９が移動して外される方向に沿うように設定した。
【００１７】
この鼻輪を取付具９を使用して牛の鼻中隔に装着するには、Ｃ字状環体１の本体１ａを開いた状態にして、一端の穿刺杆２と他端の結合部３とをそれぞれ鼻中隔を境とする左右の鼻孔に挿入し、この状態で穿刺杆２と結合部３とを相互に閉塞すれば穿刺杆２の先端の矢尻状部４が鼻中隔を突き破って結合部３の挿入孔６内に入り込む（図４〜図６参照）。
【００１８】
この取付具９への鼻輪の取付時、結合部３に形成してある突起１１の頂部１１ｂが、取付具９に形成してある係止溝１０に接して嵌合するから、鼻輪は取付具９にしっかりと固定された状態で結合部３と穿刺杆２とが確実に結合される。
【００１９】
鼻輪が牛の鼻中隔に装着された後、取付具９を鼻輪から外すには、図７〜図９に示すように取付具９は支点９ａを中心にして先端部分が開く方向に円弧状に回動するが、この先端部分の回動により図８に示すように突起１１の頂部１１ｂに対して係止溝１０が斜めに当接する状態となる。
【００２０】
そして、取付具９の先端がさらに開くにともない、図１０〜図１２に示すように突起１１の頂部１１ｂは係止溝１０にそって移動する。このとき、突起１１は頂部１１ｂを境にして両側が傾斜部１１ａに形成してあるから、取付具９は傾斜部１１ａにそってスライドする。
【００２１】
このスライド方向は取付具９が結合部３から外れる方向であり、特に傾斜角度を３０度程度に形成することで、突起１１の傾斜角度が取付具９の先端が開いて鼻輪から外される円弧状の方向にほぼ一致するから、取付具９は傾斜面にそってスムーズにスライドし、突起１１と係止溝１０との係止が容易に解除される。
【００２２】
このようにして取付具９を鼻輪から簡単に外すことができ、鼻輪は牛の鼻中隔に装着される。
【図面の簡単な説明】
【００２３】
【図１】本発明の牛の鼻輪の実施形態を示す要部の縦断正面図である。
【図２】本発明の牛の鼻輪の実施形態を示す要部の平面図である。
【図３】本発明の牛の鼻輪の実施形態を示す要部の側面図である。
【図４】本発明の牛の鼻輪の実施形態を示す取付具に取り付けられ取付具を閉じた状態の正面図である。
【図５】本発明の牛の鼻輪の実施形態を示す取付具に取り付けられ取付具を閉じた状態の要部の正面図である。
【図６】本発明の牛の鼻輪の実施形態を示す取付具に取り付けられ取付具を閉じた状態の平面図である。
【図７】本発明の牛の鼻輪の実施形態を示す取付具に取り付けられ取付具を少し開いた状態の正面図である。
【図８】本発明の牛の鼻輪の実施形態を示す取付具に取り付けられ取付具を少し開いた状態の要部の正面図である。
【図９】本発明の牛の鼻輪の実施形態を示す取付具に取り付けられ取付具を少し開いた状態の平面図である。
【図１０】本発明の牛の鼻輪の実施形態を示す取付具に取り付けられ取付具を開いた状態の正面図である。
【図１１】本発明の牛の鼻輪の実施形態を示す取付具に取り付けられ取付具を開いた状態の要部の正面図である。
【図１２】本発明の牛の鼻輪の実施形態を示す取付具に取り付けられ取付具を開いた状態の平面図である。
【図１３】本発明の牛の鼻輪の実施形態を示す取付具が開かれる移動状態を示す説明図である。
【符号の説明】
【００２４】
１  Ｃ字状環体                        １ａ  本体
２  穿刺杆                            ３  結合部
４  矢尻状部
５  係止段部                          ６  挿入孔
６ａ  入口開口                        ７  抜き孔
８  肉盗み孔                          ９  取付具
９ａ  支点                            １０  係止溝
１１  突起                            １１ａ  傾斜部
１１ｂ  頂部
【図１】
2010130904.tif 000003
【図２】
2010130904.tif 000004
【図３】
2010130904.tif 000005
【図４】
2010130904.tif 000006
【図５】
2010130904.tif 000007
【図６】
2010130904.tif 000008
【図７】
2010130904.tif 000009
【図８】
2010130904.tif 000010
【図９】
2010130904.tif 000011
【図１０】
2010130904.tif 000012
【図１１】
2010130904.tif 000013
【図１２】
2010130904.tif 000014
【図１３】
2010130904.tif 000015